【事件の表示】
　特願２００７−２９４５８０「女性用マスク」拒絶査定不服審判事件〔平成２１年　６月　４日出願公開、特開２００９−１１８９６０〕について、次のとおり審決する。
【結　論】
　本件審判の請求は、成り立たない。
【理　由】
第１　手続の経緯及び本願発明
　本件出願は、平成１９年１１月１３日の出願であって、平成２３年９月９日付けで拒絶の理由が通知され、これに対し、平成２３年１２月１２日付けで明細書及び特許請求の範囲を補正する手続補正書並びに意見書が提出されたが、平成２４年２月１５日付けで拒絶査定がなされ、これに対し、平成２４年５月１８日付けで拒絶査定不服審判が請求され、平成２４年６月２７日付けで審判請求書の請求の理由を補正する手続補正書が提出され、その後、当審において平成２５年４月４日付けで拒絶の理由が通知され、平成２５年６月６日付けで意見書が提出されたものであって、その請求項１ないし７に係る発明は、平成２３年１２月１２日付けで提出された手続補正書によって補正された明細書及び特許請求の範囲並びに出願当初の図面の記載からみて、その特許請求の範囲の請求項１ないし７に記載された事項によって特定されるとおりのものであるところ、その請求項１に係る発明（以下、「本願発明」という。）は以下のとおりである。
　
「【請求項１】
　使用者の顔面の少なくとも一部を覆うためのマスク本体と、前記マスク本体の両側に設けられた耳掛け部とを備えた立体型女性用マスクであって、化粧の付着を防止するように前記マスク本体の内側面が、はっ水はつ油加工剤によりはっ水はつ油処理されていることを特徴とする立体型女性用マスク。」
　
第２　引用文献
１　引用文献１
（１）平成２５年４月４日付け拒絶理由通知書において引用された本願の出願前に頒布された刊行物である特開２００６−４３２２７号公報（以下、「引用文献１」という。）には、例えば、以下の記載がある。（なお、下線は、理解の一助のために当審で付したものである。） 
　
（ａ）「【特許請求の範囲】
【請求項１】
左右一対のシートからなるマスク本体と左右一対の耳掛紐から構成される立体マスクであって、前記シートの左右端部は、一方の端部が外側へ弧状に形成され、他方の端部は帯部が形成され、一方のシートの弧状に形成した端部と、他方のシートの弧状に形成した端部とを接合して、マスク本体がカップ状に形成されるようにすると共に、前記耳掛紐は、長手方向に伸縮自在な平編の編紐から形成され、前記帯部の上端に耳掛紐の一端が接合され、前記帯部の下端に前記耳掛紐の他端が接合されたことを特徴とする立体マスク
【請求項２】
前記シートは少なくとも１枚の織布からなる表布と、少なくとも１枚の織布からなる裏布との間に少なくとも１枚の不織布からなる中布を挟持して構成されるようにしたことを特徴とする請求項１に記載の立体マスク。
【請求項３】
前記表布は防縮加工と防しわ加工が施された織布から形成され、一方の端部を折曲して表帯部を形成したことを特徴とする請求項２に記載の立体マスク。
【請求項４】
前記中布は熱可塑性の合成繊維を高密度に積層し、かつ低伸縮性を備えた不織布から形成したことを特徴とする請求項２に記載の立体マスク。
【請求項５】
前記裏布は少なくとも１枚のガーゼから形成され、一方の端部を折曲して裏帯部を形成したことを特徴とする請求項２に記載の立体マスク。
【請求項６】
前記シートを構成する布において、少なくとも一枚の布の上端部所定位置へ、短冊状に形成した可撓性と形状保持機能を備えた合成樹脂材からなるノーズフィット片を貼着すると共に、前記表帯部と前記裏帯部を重ね合わせて帯部を形成したことを特徴とする請求項１及び２に記載の立体マスク。」（【特許請求の範囲】の【請求項１】ないし【請求項６】）
　
（ｂ）「【００１２】
 
 次に立体マスク１０の使用方法を図４に基づいて説明する
  左右シート１１，１２が重ね合わされて、閉じたマスク本体１０Ａを拡開すると、中心部の縫合部分において、マスク本体１０Ａの中心部の上下端部が内側に引き込まれ、舟形のようなカップ状に形成される。中布１５に低伸縮性の不織布を用いたので、耳掛紐１３を引っ張ってもマスク本体１０Ａは潰れずに形状が保持される。
  そして、立体マスク１０の耳掛紐１３を左右両耳に掛止し、左右両シート１１，１２の上端部を頬骨の膨らみに合わせ、小鼻部分の曲線に合わせてノーズフィット片１８を撓める。
【００１３】
  
マスク本体１０Ａを左右一対のシート１１，１２から構成し、マスク本体１０Ａを拡開したときに口許を覆うようなカップ状に形成されるようにした
したがって、マスク本体１０Ａと口許との間に空間が生じ、顔の表面に合わせて立体マスク１０を着けることができる
  また、マスク本体１０Ａの左右両端部に帯部１７を形成した。したがって、マスク本体１０Ａの左右両端部の剛性も上がり、かつマスク本体１０Ａと耳掛紐１３の接合部分の剛性が上がる。そのため、マスク本体１０Ａの左右両端部が折れ曲がり、顔表面とマスク本体１０Ａとの間に隙間が生じてしまうこともなく、耳掛紐１３がマスク本体１０Ａから外れてしまうことも防ぐことができる。
  また、
マスク本体１０Ａを構成する左右両シート１１，１２を、表布１４、中布１５及び裏布１６の３層から形成した
そのため、光触媒やプロビタミン包含糸、またマイナスイオンを発生する布等、肌に密着させたほうが良い付加機能、または外気にさらしたほうが良い付加機能等、各布に最適な機能を付加して使用することができる。
  そして、可撓性と形状保持機能を備えた合成樹脂材からなるノーズフィット片１８を左右シート１１，１２の中布１５上部の所定位置に貼着した。したがって、左右の小鼻部分の形状に合わせて左右のノーズフィット片１８を撓ませることができる。そのため、ノーズフィット片１８によって鼻の頭は押さえつけられず、左右ノーズフィット片１８間でマスク本体１０Ａが鼻に密着する。
  
加えて、裏布１６に口紅等が付着することを防ぎ、汚れが付着しても取り替えることで清潔に保てるように、裏布の裏面側の口唇が接する部分に、ガーゼ、パラフィン紙等の裏当てをすることも可能である
　
（２）上記（１）及び図１ないし４の記載から、引用文献１には、次の事項が記載されているといえる。
（ア）上記（１）（ａ）及び図１ないし４の記載から、引用文献１には、立体マスク１０が記載されていることが分かる。
　
（イ）上記（１）（ｂ）の「口紅等が付着することを防ぎ」等の記載から、引用文献１に記載された立体マスク１０は、女性用に適した立体マスク１０であることが分かる。
　
（ウ）上記（１）（ｂ）及び図１ないし４の記載から、マスク本体１０Ａと口許との間に空間が生じるような立体マスク１０においても、裏布１６に口紅等が付着するという課題が生じることが分かる。
　
（エ）上記（１）（ａ）及び図１ないし４の記載から、引用文献１に記載された立体マスク１０は、使用者の顔面の少なくとも一部を覆うためのマスク本体１０Ａと、前記マスク本体１０Ａの両側に設けられた耳掛紐１３とを備えた女性用立体マスク１０であって、口紅等の付着を防止するように前記マスク本体１０Ａの裏布１６の裏面側に、裏当てがされている女性用マスクであるといえる。
　
（３）上記（１）（２）及び図１ないし４の記載から、引用文献１には、次の発明（以下、「引用文献１記載の発明」という。）が記載されているといえる。
　
「使用者の顔面の少なくとも一部を覆うためのマスク本体１０Ａと、前記マスク本体１０Ａの両側に設けられた耳掛紐１３とを備えた女性用立体マスク１０であって、口紅等の付着を防止するように前記マスク本体１０Ａの裏布１６の裏面側に、裏当てがされている女性用立体マスク１０。」
　
　また、引用文献１には、以下の課題が記載されているといえる。
「マスク本体１０Ａと口許との間に空間が生じるような立体マスク１０においても、裏布１６に口紅等が付着することがあるという課題。」
　
２　引用文献２
（１）平成２５年４月４日付け拒絶理由通知書において引用された本願の出願前に頒布された刊行物である特開平１０−１６５５２７号公報（以下、「引用文献２」という。）には、例えば、以下の記載がある。（なお、下線は、理解の一助のために当審で付したものである。）
　
（ａ）「【特許請求の範囲】
【請求項１】少なくとも皮膚に接触する表面が毛羽立ちや凹凸が少なく滑らかで且通気性を有したシートからなり、
マスクの内面に配置して使用することを特徴とするマスク用使い捨てシート
【請求項２】シートが、不織布からなることを特徴とする請求項１記載のシート。
【請求項３】シートが、紙からなることを特徴とする請求項１記載のシート。
【請求項４】
シートにシリコン、フッ素等の滑剤を担持させた
【請求項５】シートにナイロン粉末、ポリエチレン粉末等の透明な球状粉末を塗布したことを特徴とする請求項１，２又は３記載のシート。」（【特許請求の範囲】の【請求項１】ないし【請求項５】）
　
（ｂ）「【０００１】
【発明の属する分野】この発明は、マスクの内面にガーゼに替わって配置される使い捨てシートに関し、
特にファンデーションや口紅が付着し難いマスク用使い捨てシート
【０００２】
【従来の技術】従来、マスクの内面にファンデーション、口紅、鼻水、唾液等が直接付着してマスクの内面が汚れるのを防止するために、ガーゼを配置することは公知である。しかしながら、ガーゼは、目が粗いために皮膚との接触時にファンデーションや口紅を掻き取ってしまい汚れやすい欠点があった。又、ファンデーション、口紅、鼻水、唾液等が付着して汚れたガーゼは、洗濯し乾燥する必要があり使用上面倒であった。
【０００３】
【発明が解決しようとする課題】この発明は、マスクの内面に配置して使用する使い捨てのシートを提供し、ファンデーション、口紅、鼻水、唾液等が付着して汚れたときに、新鮮なシートと簡単に交換可能にすると共に、
ファンデーションや口紅が付着し難いシートを提供せんとするものである
　
（ｃ）「【０００８】
【発明の実施の形態】この発明の好ましい実施の形態を、以下に詳細に説明する。図１を参照して、
(１)は発明にかかる使い捨てシートであり、マスク(２)の内面に従来のガーゼに替わって配置して使用され、汚れたときに新鮮なシートに交換される
シート(１)の表面を滑らかとすることにより、ファンデーションや口紅の付着を抑制することが出来る
又、図２に示すようにシート(１)にシリコン、フッ素等の滑剤(３)で処理若しくは塗布して、シートの表面をより滑らかにし、ファンデーションや口紅の付着を更に抑制してもよい
【０００９】シート(１)を形成する不織布としては、毛羽立ちや凹凸等の少ない平坦な表面を有するものが好ましく、例えばポリプロピレン、ポリエステル、レーヨン等の不織布が好適である。又、不織布の厚みは特に限定されないが、０.１mm〜０.３mm程度の厚みのものが好ましい。滑剤としては、前記シリコン、フッ素が好適であるがステアリン酸等を用いてもよい。球状粉末は、前記ナイロン粉末、ポリエチレン粉末の他ポリメチルメタクリレート、シリカ、アルミナ等を用いることが出来る。」（段落【０００８】及び【０００９】）
　
（ｄ）「【００１１】
【発明の効果】この発明によれば、使い捨てであるためファンデーション、口紅、鼻水、唾液等で汚れたときは、新しいシートと簡単に交換することが出来、常に清潔に保持することが可能であると共に、
シートはファンデーションや口紅が付着し難い表面を有している
　
（２）上記（１）及び図１ないし４の記載から、引用文献２には、次の技術（以下、「引用文献２記載の技術」という。）が記載されているといえる。
　
「マスクの内面に配置するシートにおいて、シリコン、フッ素等の滑剤を塗布することにより、ファンデーションや口紅の付着を更に抑制する技術。」
　
３　引用文献３
（１）平成２５年４月４日付け拒絶理由通知書において引用された本願の出願前に頒布された刊行物である特開２００６−３２５６８８号公報（以下、「引用文献３」という。）には、例えば、以下の記載がある。（なお、下線は、理解の一助のために当審で付したものである。）
　
（ａ）「【特許請求の範囲】
【請求項１】
  顔面に装着して使用されるマスクであって、
  マスク本体と、該マスク本体を顔面の所望の箇所に固定する固定手段とを備え、
  前記マスク本体は、その少なくとも顔面に触れる面に疎水性を有する布帛を備えることを特徴とするマスク。
　（中略）
【請求項１５】
  当該マスクを顔面に装着した状態で、
  さらに、前記顔面と前記マスク本体との間に配される当て布を備え、
  該当て布は、その顔面に触れる面に疎水性を有するものである請求項１ないし１４のいずれかに記載のマスク。
【請求項１６】
  顔面に装着して使用されるマスクであって、
  マスク本体と、該マスク本体を顔面の所望の箇所に固定する固定手段と、当該マスクを顔面に装着した状態で前記顔面と前記マスク本体との間に配される当て布とを備え、
  前記当て布は、その顔面に触れる面に疎水性を有することを特徴とするマスク。
【請求項１７】
  前記当て布は、その顔面と反対側の面に親水性を有するものである請求項１５または１６に記載のマスク。」（【特許請求の範囲】の【請求項１】ないし【請求項１７】）
　
（ｂ）「【００５３】
  また、
疎水性のシート材１１としては、シート材に対して撥水処理を施したものでもよい
【００５４】
  
撥水処理としては、例えば、親水性のシート材に撥水剤を付与する方法、疎水性のシート材に撥水剤を付与して疎水性（撥水性）をさらに高める方法等が挙げられる
【００５５】
  
この撥水剤としては、一般に繊維撥水加工に用いられるシリコーン系撥水剤やフッ素系撥水剤、パラフィン金属系撥水剤、アルキルクロミッククロイド系撥水剤あるいはアクリル系撥水剤等が挙げられる
【００５６】
  
使用する撥水剤の量は、特に限定されるものではないが、シート材１００重量部に対して、０．５〜１０質量部程度であるのが好ましく
また、撥水処理方法については、公知の方法を用いることができ、スプレーやコーティングにより行うことができる
　
（２）上記（１）及び図１ないし６の記載から、引用文献３には、次の事項が記載されているといえる。
　
（ア）上記（１）及び図１ないし６の記載から、引用文献３には、顔面に装着して使用されるマスクが記載されていることが分かる。
　
（イ）上記（１）及び図１ないし６の記載から、引用文献３に記載されたマスクにおいて、マスク本体の顔面に触れる面には、疎水性を有する布帛を備えることが分かる。
　
（ウ）上記（１）及び図１ないし６の記載から、引用文献３に記載されたマスクにおいて、疎水性のシート材としては、シート材に対して撥水処理を施したものでもよく、撥水処理の例としては、シリコーン系撥水剤やフッ素系撥水剤等の撥水剤を、スプレーやコーティング等の撥水処理方法により行うことが分かる。
　
（エ）上記（１）及び図１ないし６の記載から、引用文献３に記載されたマスクにおいて、撥水処理に使用される撥水剤の量は、シート材１００重量部に対して、０．５〜１０質量部程度であるのが好ましいことが分かる。
　
（３）上記（１）（２）及び図１ないし６の記載から、引用文献３には、次の技術（以下、「引用文献３記載の技術」という。）が記載されているといえる。
　
「マスクの内面に配置するシート材に対して、シリコーン系撥水剤やフッ素系撥水剤等の撥水剤を、スプレーやコーティング等の撥水処理方法を行うことにより撥水処理を施す技術。」
　
第３　対比・判断
１　対比
　本願発明と引用文献１記載の発明とを対比すると、引用文献１記載の発明における「耳掛紐１３」は、その機能及び構造からみて、本願発明における「耳掛け部」に相当し、以下同様に、「女性用立体マスク１０」は「立体型女性用マスク」に、「口紅等」は「化粧」に、「裏布１６の裏面側」は「内側面」に、それぞれ相当する。
　また、引用文献１記載の発明における「裏当てがされている」は、「化粧の付着を防止する手段がされている」という限りにおいて、本願発明における「はっ水はつ油加工剤によりはっ水はつ油処理されている」に相当する。
　してみると、両者は、
「使用者の顔面の少なくとも一部を覆うためのマスク本体と、前記マスク本体の両側に設けられた耳掛け部とを備えた立体型女性用マスクであって、化粧の付着を防止するように前記マスク本体の内側面は、化粧の付着を防止する手段がされている立体型女性用マスク。」
という点で一致しており、次の＜相違点＞において相違する。 
　
＜相違点＞
　「化粧の付着を防止する手段がされている」に関して、本願発明においては、「はっ水はつ油加工剤によりはっ水はつ油処理されている」のに対し、引用発明においては、「裏当てがされている」点（以下、「相違点」という）。
　
２　判断
　上記相違点について検討する。
　本願発明における「はっ水はつ油加工剤によりはっ水はつ油処理されている」という事項は、明細書の記載によれば、具体的には「はっ水はつ油加工剤としては、人体に対して安全性の高い材料であれば周知のものを使用することができるが、皮膚に対し刺激が少ないものを使用することがより好ましい。具体的には、フッ素系樹脂を含むフッ素系加工剤、シリコン系樹脂を含むシリコン系加工剤、パラフィン系加工剤、ワックス系加工剤などが挙げられ、中でもフッ素系加工剤を使用することが好ましい。フッ素系加工剤としては、フッ素樹脂エマルション、フッ素樹脂水溶液などを使用することができる。また、はっ水はつ油加工剤は、液状、粉末状など種々の形態のものを使用できる。」（段落【００２２】）及び「はっ水はつ油加工剤による処理方法としては、特に限定されず、スプレー、ロール、刷毛などの手段による塗布や含浸など適宜の方法で添着・塗布することができる。（中略）なお、はっ水はつ油加工剤の使用量は当業者が適宜設定することができる。（以下略）」（段落【００２３】）というものである。
　つまり、「はっ水はつ油加工剤」としては、例えばフッ素系樹脂を含むフッ素系加工剤、シリコン系樹脂を含むシリコン系加工剤が挙げられ、「はっ水はつ油処理」としては、例えばスプレー、ロール、刷毛などの手段によるはっ水はつ油加工剤の塗布や含浸等が挙げられることが分かる。
　ここで、上記引用文献２記載の技術は、
「マスクの内面に配置するシートにおいて、シリコン、フッ素等の滑剤を塗布することにより、ファンデーションや口紅の付着を更に抑制する技術。」
というものであり、
上記引用文献３記載の技術は、
「マスクの内面に配置するシート材に対して、シリコーン系撥水剤やフッ素系撥水剤等の撥水剤を、スプレーやコーティング等の撥水処理方法を行うことにより撥水処理を施す技術。」
というものであるから、
引用文献２及び３記載の技術は、本願発明における「はっ水はつ油加工剤によりはっ水はつ油処理されている」という事項と技術的に重複する蓋然性が高い処理を行う技術である。
　なお、フッ素含有化合物の重合体（いわゆるフッ素樹脂）が撥水性及び撥油性を有することは、周知の事項（例えば、特開平３−１０３４１１号公報の第１ページ右下欄第１４ないし１７行の記載を参照。）である。
　また、マスクに対して「はっ水はつ油加工剤によりはっ水はつ油処理」する技術は、周知技術（以下、「周知技術」という。例えば、平成２５年４月４日付け拒絶理由通知書において引用された特開２００５−２５６１９２号公報［例えば、段落【００２７】及び【００３２】等の記載を参照。］、特開２００４−７６２１９号公報［例えば、段落【００３０】及び【００３４】等の記載を参照。］、特開平１０−２８６３１９号公報［例えば、段落【０００６】等の記載を参照。］及び特開平７−１８５０２７号公報（例えば、段落【００１３】等の記載を参照。］のほか、特開２００７−２８４６４４号公報［２００７年１１月１日公開。例えば、段落【０００１】及び【００６５】ないし【００６９】等の記載を参照。］、特開２００６−２１９５８６号公報［例えば、段落【０００１】及び【００３１】等の記載を参照。］、再公表特許第２００５−１０２９８４号［例えば、段落【００２９】等の記載を参照。］、再公表特許第２００４−１０８８５５号［例えば、第１６ページ第２６ないし２９行等の記載を参照。］）である。
　また、物品に対して、はっ水はつ油処理（又はフッ素系樹脂のコーティング）をすることにより、化粧の付着を防止するという作用効果は、周知の作用効果（以下、「周知の作用効果１」という。例えば、特開２００４−１７０９６２号公報［例えば、【要約】、【特許請求の範囲】、段落【０００８】、【０００９】及び【００１６】等の記載並びに図面を参照。］、特開２００６−２９３０７６号公報［例えば、【特許請求の範囲】、段落【０００３】ないし【０００６】、【００１２】ないし【００１４】等の記載及び図面を参照。］、登録実用新案第３０８０８３４号公報［例えば、【要約】、【実用新案登録請求の範囲】、段落【０００３】ないし【０００５】等の記載及び図面を参照。］、特開２００６−１５２４８７号公報［例えば、【特許請求の範囲】、段落【００１８】、【００４５】及び【０１０３】等の記載を参照。］等を参照。）である。
　なお、マスクに化粧が付着して化粧落ちするという課題は周知の課題（以下、「周知の課題」という。例えば、上記引用文献１［例えば、段落【００１３】等の記載を参照。］、上記引用文献２［例えば、段落【０００２】等の記載を参照。］、のほか、登録実用新案第３１３４０１９号公報［例えば段落【０００３】等の記載を参照。］、実願平５−４１７６０号（実開平７−７６５７号）のマイクロフィルム［例えば、段落【０００２】等の記載を参照。］、特開２００５−１０２８１８号公報［例えば段落【０００２】等の記載を参照。］等を参照。）である。
　また、マスクを立体型とすることにより化粧の付着を抑制させるという作用効果は、周知の作用効果（以下、「周知の作用効果２」という。例えば、登録実用新案第３１３４０１９号公報［例えば【実用新案登録請求の範囲】、段落【００２４】及び【００３２】等の記載及び図面を参照。］、実願平５−４１７６０号（実開平７−７６５７号）のマイクロフィルム［例えば【実用新案登録請求の範囲】及び段落【００２６】等の記載及び図面を参照。］、特開２００６−１９１９９７号公報［例えば【特許請求の範囲】、段落【０００１】、【０００６】、【００１４】、【００１５】及び【００２３】等の記載を参照。）、特開２００５−１０２８１８号公報［例えば段落【０００２】ないし【０００４】等の記載を参照。］、特開２００７−１８５３０１号公報［例えば段落【０００２】ないし【０００６】等の記載を参照。］等を参照。）である。
　してみれば、引用文献１記載の発明において、周知の課題を解決するために、引用文献２及び３記載の技術及び上記周知技術を適用して「はっ水はつ油加工剤によりはっ水はつ油処理されている」とすることにより、上記相違点に係る本願発明の発明特定事項をなすことは、当業者が容易に想到し得たことである。
　
　よって、本願発明を全体として検討しても、引用文献１記載の発明、引用文献２及び３記載の技術、周知技術並びに周知の作用効果１及び２から予測される以上の格別な効果を奏するものとは認められない。
　
第４　むすび
　以上のとおり、本願発明は、引用文献１記載の発明、引用文献２及び３記載の技術、周知技術並びに周知の作用効果１及び２に基いて当業者が容易に発明をすることができたものであるから、特許法第２９条第２項の規定により、特許を受けることができない。
　よって、結論のとおり審決する。